(57)【要約】【課題】例えば飲料容器としてペットボトルを用いる場合、ペットボトルを収納部に入れたままでキャップを取り外すことができるカップホルダを提供する。【解決手段】カップホルダ１０は、上面が開口した収納部１１を備えており、その収納部１１にペットボトルＰ等の飲料容器が収納される。収納部１１は、アウタ部材１２に形成された周壁部１３と、収納部１１の底部を構成する底板部１５を備える回動部材１６とを備えている。回動部材１６は、軸２０によりアウタ部材１２に対して軸支されている。このため、回動部材１６は、軸２０を中心にして保持部１９が収納部１１に収納された飲料容器に対して接離する方向に回動可能である。これにより、収納部１１に収納されたペットボトルＰが下方に押されることで回動部材１６が回動し、保持部１９と当接部１７との間でペットボトルＰが保持される。【選択図】      図１
2005081925.tif 000002
【特許請求の範囲】
【請求項１】
飲料容器を収納可能な収納部を備えたカップホルダであって、
前記収納部に収納された飲料容器の側面に当接して支持する当接部と、
前記収納部に収納された飲料容器が下方に向かって押された際、その飲料容器の下降移動に伴って軸を中心に回動し、前記当接部との間で前記飲料容器を保持する回動部材とを備えたことを特徴とするカップホルダ。
【請求項２】
前記回動部材及び前記当接部のうち少なくとも一方は、前記飲料容器と当接する部分に滑り止め部材を備えていることを特徴とする請求項１に記載のカップホルダ。
【請求項３】
前記回動部材は、前記収納部に収納された飲料容器の底部を支持する底板部と、該底板部から立ち上がる側板部と、該側板部に設けられた保持部とを備え、
前記飲料容器の下降移動に伴い前記底板部が前記軸を中心にして回動するとともに、前記側板部及び前記保持部が前記飲料容器に向かって回動し、前記保持部と前記当接部との間で前記飲料容器が保持されることを特徴とする請求項１又は請求項２に記載のカップホルダ。
【発明の詳細な説明】
【技術分野】
【０００１】
本発明は、ペットボトルやドリンク缶等の飲料容器を収納するためのカップホルダに関する。
【背景技術】
【０００２】
従来、一般に車両のインストルメントパネルやコンソール等には、ペットボトルやドリンク缶等の飲料容器を収納するためのカップホルダが取り付けられている。この種のカップホルダは飲料容器を収納するための収納部を備えており、この収納部としては単に穴からなるものが一般的である。また、これ以外の種類には、収納部に入れられた飲料容器が収納部から外へ飛び出さないように飲料容器を保持するホールド機構を有するものもある。
【発明の開示】
【発明が解決しようとする課題】
【０００３】
ここで、ホールド機構を有しないカップホルダでは、ペットボトルを収納部に入れたまま片手でキャップを取り外そうとしても、キャップの開操作に伴ってペットボトルが収納部内で回転してしまい、片手でキャップを外すことができない。従って、キャップを外すためにはペットボトルを両手で持つ必要があり、キャップを開ける作業が面倒であるという問題があった。
【０００４】
また、カップホルダにホールド機構が備えられていても、この種のカップホルダは走行中の車両に振動に対してカップホルダ内の飲料容器が外へ飛び出ない程度の保持力しかない。このため、このカップホルダにおいてもキャップの開操作に伴うペットボトルの回転方向への動きを規制するような保持力はなく、この場合もキャップの開操作のときはペットボトルを両手で持つ必要があった。
【０００５】
本発明は、例えば飲料容器としてペットボトルを用いる場合、ペットボトルを収納部に入れたままでキャップを取り外すことができるカップホルダを提供することにある。
【課題を解決するための手段】
【０００６】
上記問題点を解決するために、請求項１に記載の発明は、飲料容器を収納可能な収納部を備えたカップホルダであって、前記収納部に収納された飲料容器の側面に当接して支持する当接部と、前記収納部に収納された飲料容器が下方に向かって押された際、その飲料容器の下降移動に伴って軸を中心に回動し、前記当接部との間で前記飲料容器を保持する回動部材とを備えたことを要旨とする。
【０００７】
この発明によれば、例えば飲料容器がペットボトルの場合、収納部に入れたままペットボトルのキャップを下方に押すことで、回動部材が軸を中心に回動して当接部との間でペットボトルが保持される。このため、ペットボトルのキャップを取り外そうと回転方向の力を加えても、ペットボトルの本体は回動部材及び当接部によってその回転方向への動きが規制されているので、加えた力でキャップのみを回すことが可能となり、収納部に入れたままキャップを取り外すことが可能となる。
【０００８】
請求項２に記載の発明は、請求項１に記載の発明において、前記回動部材及び前記当接部のうち少なくとも一方は、前記飲料容器と当接する部分に滑り止め部材を備えていることを要旨とする。この発明によれば、回動部材及び当接部の少なくとも一方は、すべり止め部材を介して飲料容器に当接する。このため、飲料容器の回転方向への動きが一層抑制され、例えばペットボトルからキャップを取り外す際、キャップをより一層取り外し易くなる。
【０００９】
請求項３に記載の発明は、請求項１又は請求項２に記載の発明において、前記回動部材は、前記収納部に収納された飲料容器の底部を支持する底板部と、該底板部から立ち上がる側板部と、該側板部に設けられた保持部とを備え、前記飲料容器の下降移動に伴い前記底板部が前記軸を中心にして回動するとともに、前記側板部及び前記保持部が前記飲料容器に向かって回動し、前記保持部と前記当接部との間で前記飲料容器が保持されることを要旨とする。
【００１０】
この発明によれば、収納部に収納された飲料容器が下方に押されることで底板部が回動するとともに、該底板部から立ち上がる側板部及び保持部が飲料容器に向かって回動する。そして、保持部と当接部との間で飲料容器が保持される。このため、保持部及び当接部の保持により飲料容器の回転方向への動きが規制され、例えばペットボトルを収納部に入れたままキャップを取り外すことが可能となる。
【発明の効果】
【００１１】
本発明によれば、例えば飲料容器としてペットボトルを用いる場合、ペットボトルを収納部に入れたままでキャップを取り外すことができる。
【発明を実施するための最良の形態】
【００１２】
以下、本発明を具体化したカップホルダの一実施形態を図１〜図３を参照にして説明する。
図１に示すように、カップホルダ１０は、飲料容器としてのペットボトルＰやドリンク缶等の飲料容器を保持するために使用され、車両のセンターコンソール等に設けられている。カップホルダ１０は、上面が開口した収納部１１を備えており、その収納部１１に上記ペットボトルＰ等の飲料容器が収納される。
【００１３】
図１〜図３に示すように、収納部１１は、車両のセンターコンソールの一部を構成するアウタ部材１２内に設けられており、上面の孔１２ａを形成する周壁部１３と、アウタ部材１２を構成する側壁部１４と、収納部１１の底部を構成する底板部１５を備えた回動部材１６とを備えている。側壁部１４には、収納部１１に収納される飲料容器の側部に当接してその飲料容器を支持する当接部１７が設けられている。当接部１７は、滑り止め部材として例えばゴムで形成されている。なお、ゴムに代えてウレタン等の他の滑り止め部材を使用してもよい。また、当接部１７は、飲料容器と接触する部分が凹状の曲面で形成されており、飲料容器に対して面で接触することが可能である。
【００１４】
収納部１１を構成する回動部材１６は、断面略Ｌ字形状で構成されており、飲料容器の底部を支持する底板部１５、底板部１５から立ち上がる側板部１８、及び側板部１８の先端側に取り付けられた保持部１９を備えている。底板部１５は、第１の底板１５ａと、該第１の底板１５ａに対して屈折した第２の底板１５ｂとで構成されており、第１の底板１５ａが単に収納されただけの状態の飲料容器を、第２の底板１５ｂ部が後述するように保持状態の飲料容器を支持するようになっている。また、保持部１９は、滑り止め部材として例えばゴムで形成されている。なお、ゴムに代えてウレタン等の他の滑り止め部材を使用してもよい。また、保持部１９は、飲料容器と接触する部分が凹状の曲面で形成されており、飲料容器に対して面で接触することが可能である。
【００１５】
回動部材１６は、軸２０によりアウタ部材１２に対して軸支されている。このため、回動部材１６は、軸２０を中心にして保持部１９が収納部１１に収納された飲料容器に対して接離する方向に回動可能である。
【００１６】
回動部材１６の側板部１８の上端は、アウタ部材１２の下面に形成された突部２１に対してばね２２（例えば、ねじりコイルばね）を介して組み付けられている。ばね２２は、単に飲料容器が収納された状態では図１に示す状態で回動部材１６を維持するように組み付けられる。これにより、回動部材１６は、収納部１１に収納された飲料容器が下方に押された場合に、ばね２２の付勢力（弾性力）に反するように回動することになる。なお、ばね２２の付勢力は、例えば５００ｍｌペットボトルが収納部１１に収納された場合に回動部材１６が回動しないだけの力を有するものが使用される。
【００１７】
また、収納部１１近傍のアウタ部材１２上面には、ペットボトルＰのキャップＣを置くための凹状の載置部２３が設けられている。載置部２３の底部には、ゴム製のマット２４が設けられている。このため、載置されたキャップＣの滑り止め作用を発揮する。
【００１８】
次に、本実施形態におけるカップホルダの作用について説明する。
図１に示すように、カップホルダ１０の収納部１１にペットボトルＰが収納されると、そのペットボトルＰの底部が回動部材１６の第１の底板１５ａにより支持される。そして、ペットボトルＰがばね２２の付勢力よりも大きな力で下方に押されると、ペットボトルＰが下降移動し、それに伴い回動部材１６が軸２０を中心にして回動してペットボトルＰの支持が第１の底板１５ａから第２の底板１５ｂに移行する。また、図２に示すように、回動部材１６の回動に伴い、保持部１９がペットボトルＰの側部に当接する。これにより、ペットボトルＰが保持部１９と当接部１７とにより挟持され、ペットボトルＰは矢印Ａで示す回転方向における動きが規制された状態（保持状態）で保持される。
【００１９】
次に、キャップＣを外す場合、ペットボトルＰが保持部１９及び当接部１７により挟持された状態で保持されているため、キャップＣを外すために加える力が直接キャップに伝わり、キャップＣのみを回すことが可能である。ここで、ペットボトルＰの保持力が弱い場合は、ペットボトルＰを下方にさらに押すことで強く保持される。そして、外したキャップＣは載置部２３に置くことで邪魔にならない。キャップＣを外した後、ペットボトルＰから手を離すと、ばね２２の付勢力により回動部材１６は図１に示す状態に戻る。これにより、ペットボトルＰを収納部１１から取り外し可能な状態となり、ペットボトルＰを収納部１１から取り出してペットボトルＰ内の飲料を飲むことが可能である。
【００２０】
上記実施形態によれば、以下のような効果を得ることができる。
（１）収納部１１にペットボトルＰを入れてそのペットボトルＰを下方に押すと、回動部材１６が軸２０を中心にして回動し、保持部１９と当接部１７とによりペットボトルＰが回転方向における動きを規制された状態で保持される。このため、キャップＣのみを回すことが可能となり、ペットボトルＰを収納部１１に入れたまま片手でキャップＣを取り外すことができる。また、押すことでペットボトルＰの回転方向における動きを規制するため、ペットボトルＰ以外にドリンク缶等を収納する場合であっても、通常のカップホルダとして問題なく使用することができる。
【００２１】
（２）ペットボトルＰを保持する当接部１７及び保持部１９をゴム等の滑り止め部材で構成した。このため、ペットボトルＰの回転方向への動きをより一層規制することができ、より容易にキャップＣを外すことができる。
【００２２】
（３）収納部１１の近傍にキャップＣを置くための載置部２３を設けた。このため、ペットボトルＰのキャップＣを片手で取り外した後、キャップＣの置き場に困ることがなくなる。また、載置部２３の底部にゴム製のマット２４を設けたため、滑り止めの機能を発揮し、さらには、車両の振動等でキャップＣとアウタ部材１２との間で打音が発生することがなくなる。
【００２３】
（４）保持部１９と対向する位置に当接部１７を設けた。このため、例えば、当接部１７を設けず、保持部１９と周壁部１３との間で保持される構成とした場合に比べてより強固にペットボトルＰを保持することができる。
【００２４】
なお、本実施の形態は以下のように変更してもよい。
・  上記実施の形態では、第１の底板１５ａと第２の底板１５ｂとを屈折した状態に一体形成していたが、第１の底板１５ａと第２の底板１５ｂとを全体として曲面状をなすように一体形成してもよい。これにより、収納部内のペットボトルＰが下方に押された場合、第１の底板１５ａから第２の底板１５ｂへと節度感なくスムーズに移行する。従って、操作感を向上させることができる。
【００２５】
・  上記実施の形態では、通常状態のペットボトルＰを支持する第１の底板１５ａ及び下方に押された状態のペットボトルＰを支持する第２の底板１５ｂを一体形成して底板部１５としていたが、別々に設ける構成としてもよい。例えば、図４に示すように、第１の底板１５ａをペットボトルＰを支持できるだけの適当な付勢力を持つばね２５で下側から付勢するとともに、第２の底板１５ｂを上記実施形態と同様にばね２２で同図に示すように設ける。この場合、通常状態のペットボトルＰは第１の底板１５ａにより支持され、一方、ペットボトルＰが底部側に押された場合は、第１の底板１５ａが下側に押され、第２の底板１５ｂへと移行して上記実施の形態と同様にペットボトルＰは保持される。
【００２６】
・  上記実施の形態において、側壁部１４及び当接部１７を設けない構成としてもよい。この場合、周壁部１３が当接部を構成し、周壁部１３と保持部１９との間でペットボトルＰを保持する。
【００２７】
次に、上記各実施の形態から把握できる技術的思想について以下に記載する。
（１）前記当接部を前記保持部と対向する位置に備えたことを特徴とする請求項１〜請求項３に記載のカップホルダ。
【００２８】
（２）前記収納部近辺に飲料容器の蓋体を載置する載置部を設けたことを特徴とする請求項１〜請求項３及び前記技術的思想（１）に記載のカップホルダ。
【図面の簡単な説明】
【００２９】
【図１】ペットボトルＰが収納された状態のカップホルダの断面図。
【図２】ペットボトルＰが下方に向かって押された状態のカップホルダの断面図。
【図３】カップホルダの模式斜視図。
【図４】別の実施形態におけるカップホルダの断面図。
【符号の説明】
【００３０】
Ｐ…飲料容器としてのペットボトル、１０…カップホルダ、１１…収納部、１５…底板部、１６…回動部材、１７…当接部、１８…側板部、１９…保持部、２０…軸。
【図１】
2005081925.tif 000003
【図２】
2005081925.tif 000004
【図３】
2005081925.tif 000005
【図４】
2005081925.tif 000006